(57)【特許請求の範囲】
【請求項１】
インナーライナーを有する空気入りタイヤの状態を監視するように使用される装置であって、
少なくも１個の感知用素子を有する監視装置、
該監視装置を支持して監視装置を空気入りタイヤのインナーライナーに連結するようにされたパッチ、及び
該パッチにより支持されるアンテナ、を具備し、
前記監視装置の一部と前記アンテナの一部が、前記監視装置と前記アンテナとの間の信号の結合を提供するように電気的結合を介して間隔を置いて設けられて整列されていることを特徴とする装置。
【請求項２】
パッチを有するタイヤのインナーライナーに監視装置を取り付ける方法であって、
(a)少なくも１個の感知用素子を有する監視装置を設ける過程と、
(b)埋め込まれたアンテナを有するパッチを設ける過程と、
(c)該(b)過程の後に監視装置をパッチに連結し、電気的結合を介して監視装置とアンテナとの間の信号の結合を提供するように監視装置の一部がアンテナの一部と整列され且つ間隔を置いて設けられる過程と、
(d)該(b)過程又は(c)過程のいずれかの後に、タイヤのインナーライナーにパッチを結合する過程と、
を有することを特徴とする方法。
【請求項３】
タイヤのインナーライナーに監視装置を取り付ける方法であって、
少なくも１個の感知用素子を有する監視装置を設ける過程と、
埋め込まれたアンテナを有するパッチを設ける過程と、
タイヤのインナーライナーにパッチを加硫接合させる過程と、及び
タイヤのインナーライナーにパッチを加硫説都合させる過程の後に監視装置をパッチに連結し、電気的結合を介して監視装置とアンテナとの間の信号の結合を提供するように監視装置の一部とアンテナの一部とが整列され且つ間隔を置いて設けられる過程と、
を有することを特徴とする方法。
【請求項４】
タイヤのインナーライナーに監視装置を取り付ける方法であって、
少なくも１個の感知用素子を有する監視装置を設ける過程と、
インナーライナーにより支持されるようにされたアンテナを設ける過程と、
アンテナをインナーライナーに結合する過程と、
アンテナがインナーライナーに結合された後に監視装置とアンテナとを整列させる過程と、及び
監視装置がアンテナと整列された後に監視装置をインナーライナーに取り付け、電気的結合を介してアンテナと監視装置との間の信号の結合を提供するように監視装置の一部がアンテナの一部に整列され且つ間隔を置いて設けられる過程と、
を有することを特徴とする方法。
【請求項５】
インナーライナー及び該インナーライナーに連結されたアンテナを有するタイヤ本体と、
タイヤの技術的状態を感知するために少なくも１個の感知用素子を有する監視装置を具備と、を具備し、
該監視装置は、前記インナーライナーに取り付けられ、電気的結合を介して監視装置とアンテナとの間の信号の結合を提供するように監視装置の一部がアンテナの一部と整列され且つ間隔を置いて設けられることを特徴とするタイヤ。
【請求項６】
インナーライナーを有する空気入りタイヤの状態を監視するように使用される装置であって、
少なくも１個の感知用素子を有する監視装置と、
該監視装置を支持する取付用パッチと、
タイヤのインナーライナーに接着するようにされた固定用の層と、及び
該固定用の層により支持されるアンテナと、を具備し、
前記取付用パッチが、該固定用の層に取りつけられ、監視装置の一部とアンテナの一部が、電気的結合を介して監視装置とアンテナとの間の信号の結合を提供するように、整列され且つ間隔を置いて設けられることを特徴とする装置。
【発明の詳細な説明】
【０００１】
【産業上の利用分野】
本発明は、一般に空気入りタイヤを監視するために使用される監視装置に関し、特に、監視装置とパッチとの組合せであって、このパッチ内に配置されかつこの組合せが組み立てられたときにこの監視装置と電気的に結合される監視装置のアンテナを有する前記監視装置とパッチとの組合せに関する。特に、本発明は、パッチ内の第２の電気パッド（electrical pad）と揃えられた第１の電気パッドを有するカプセル封じ監視装置であって、パッチ内のアンテナと監視装置との間の接続が、整列された電気パッド間の電気的結合により確立される前記監視装置に関する。
【０００２】
【従来技術及びその課題】
本技術においては、車両に取り付けられかつ使用中のタイヤの状態を監視することがしばしば望まれる。典型的に望まれる測定は、タイヤの摩耗、内部温度、及び内圧である。これらの測定は、測定を行うために車両からタイヤを外すことなく、或いはタイヤを特別の位置にすることなく、車両におけるタイヤの使用中に行い得ることが好ましい。これらの測定を実行するために、多くの形式の監視装置が本技術において知られている。監視装置の一例は、タイヤのボデー内に埋設されかつ誘導電磁結合により回路を励起させる無線周波数送信により作動させられる受動型の集積回路を使用する。タイヤ状態を監視するために使用される別の従来技術の装置は、バルブステムのようなタイヤの外部に置かれた自己出力回路を備える。別の能動型の自己出力式のプログラム可能な電子装置が、本願の譲受人に譲渡された米国特許５５７３６１０号、５５６２７８７号、及び５５７３６１１号に説明される。
【０００３】
能動型の自己出力式のプログラム可能な電子装置の各はアンテナを備え、このアンテナが、監視装置により得られたデータをタイヤの外側に置かれたデータ収集装置に送るために使用される。本技術における問題の一つは、監視装置により得られたデータをタイヤの外側に置かれたデータ収集装置に正確に送るようにアンテナを位置決めすることである。アンテナは、タイヤを通過する伝達路ができるだけ小さくなるように、できるだけ空気入りタイヤの外側の近くに置くことが望まれる。過去においては、監視装置のアンテナはタイヤの内部室内に伸びるのが一般的あり、従って無線周波数の電波はまずタイヤ内部の空気を通過し、インナーライナーを通過し、タイヤサイドウオールを通過し、そして空気を通ってデータ収集装置まで通過しなければならい。本技術においては、無線周波数の電波がタイヤのサイドウオールに入るより前にタイヤの内部室を決して通過しないように位置決めされた能動型の自己出力式のプログラム可能な電子装置用のアンテナを提供することが望まれる。タイヤのビードリングとアペックスフィラーとは監視装置からの無線周波数送信を妨害する傾向がある。このため、本技術においては、サイドウオールを通る伝達をできるだけ強化するために、アンテナをビードリング及びアペックスフィラーから離して位置決めすることが望まれる。一方では、タイヤのサイドウオールの区域ではタイヤのサイドウオールの中央部分より力と伸びとが小さいため、監視装置をできるだけビードリングに近づけることも望まれる。そこで本技術においては、両方の構成要素に対して理想的な位置を与える監視装置へのアンテナの取付方法を提供することが望まれる。
【０００４】
本技術において公知の取付具は、典型的には、空気入りタイヤが通常遭遇し経験する力によって装置が破壊されないように、監視装置に構造的支援を提供するカプセル材料でカプセル封じされる。ある種の用途においては、カプセル封じ過程は、カプセル封じ監視装置からアンテナが伸びなければならないことを考慮するであろう。監視装置から離れたアンテナの位置決めによりこのカプセル封じの問題を無くす監視装置構成を提供することが望まれる。
【０００５】
監視装置をタイヤのインナーライナーに連結する一方法は、タイヤのインナーライナーに確実に接着するように構成されたゴムパッチの内面により監視装置を支持する取付用ゴムパッチの使用を含む。敏感な電子式監視装置とゴムパッチとは別の場所で製造され、監視装置がタイヤのインナーライナーに取り付けられるときに組み立て得ることが望ましい。取付用ゴムパッチと敏感な監視装置との分離により、敏感な監視装置を破損させる危険なしに取付用ゴムパッチをタイヤのインナーライナーに攻撃的に取り付けることができる。ゴム取付用パッチがインナーライナーに確実に固定された後で、監視装置をパッチに取り付けることができる。
【０００６】
以上の観点から、別個の製造設備で作られ、監視装置が空気入りタイヤに取り付けられたとき一緒に連結される監視装置とパッチとを提供することが本発明の目的である。
【０００７】
本発明の別の目的は、監視装置用のアンテナがパッチにより支持される監視装置とパッチとの組合せを提供することである。
【０００８】
本発明の更なる目的は、無線周波数の信号を、タイヤのビードリング及びアペックスフィラーから遠いタイヤサイドウオール内に直接通過させる方法でアンテナの位置決めをする監視装置とパッチとの組合せを提供することである。
【０００９】
本発明の別の目的は、監視装置をタイヤのビードリング及びアペックスフィラーの近くに位置決めしかつアンテナをビードリング及びアペックスフィラーから離して位置決めする監視装置とパッチとの組合せを提供することである。
【００１０】
本発明の別の目的は、アンテナと監視装置との間に物理的接続を必要としない監視装置とパッチとの組合せを提供することである。
【００１１】
本発明の別の目的は、タイヤのインナーライナーに直接連結することができる監視装置であって、監視装置のアンテナがインナーライナー内に埋設され、かつ監視装置のインナーライナーへの取付けがアンテナと監視装置との間の接続を自動的に形成する監視装置を提供することである。
【００１２】
本発明の更なる目的は、アンテナと監視装置との直接的な物理的接続の段階を欠いたタイヤのインナーライナー上への監視装置の設置方法を提供することである。
【００１３】
本発明の別の目的は、監視装置をタイヤのインナーライナーに連結するパッチと監視装置とが正しく揃えられたとき、アンテナと監視装置との間の通信を自動的に提供する空気入りタイヤのインナーライナー上の監視装置の設置方法を提供することである。
【００１４】
本発明の別の目的は、簡単、効果的かつ費用の少ない方法で達成し、諸問題を解決し、更に本技術に存在する諸要求を満たす方法と組合せとを提供することである。
【００１５】
【課題を解決するための手段】
本発明のこれら及びその他の目的及び利点は、インナーライナーを有する空気入りタイヤの状態を監視するために使用される監視装置とパッチとの組合せであって、少なくも１個の感知用素子を有する監視装置、感知用素子に接続された第１の電気パッド、監視装置を支持しているパッチであって、監視装置を空気入りタイヤのインナーライナーに連結するようにされたパッチ、パッチにより支持されたアンテナ、及びパッチにより支持されかつアンテナに接続された第２の電気パッドを備え、第１の電気パッドと第２の電気パッドとは間隔を空けられるが整列され、電気パッド間の電気的結合により感知用素子がアンテナと通信する前記組合せにより得られる。
【００１６】
本発明の別の目的及び利点は、タイヤのインナーライナーに監視装置を取り付ける方法であって、少なくも１個の感知用素子及びこの感知用素子に接続された第１の電気パッドを有する監視装置を設け、アンテナ及びこのアンテナに接続された第２の電気パッドを有するパッチを設け、第１の電気パッドと第２の電気パッドとを整列させ、監視装置がパッド間の電気的結合によりアンテナと通信するために第１の電気パッドが第２の電気パッドに揃えられるように監視装置をパッチに連結し、更にパッチをタイヤのインナーライナーに連結する諸段階を含んだ方法により得られる。
【００１７】
【好ましい実施例の説明】
出願人が本発明の適用を意図した最良の方式を示す本発明の好ましい実施例が以下の記述において説明され図面に示され、特に実施態様において明確に指摘され説明される。
【００１８】
図面全体を通して同様な部品には同様な番号が付けられる。
【００１９】
本発明の監視装置とパッチとの組合せの第１の実施例が図１−５に示され、一般に番号１０により示される。組合せ１０は、図１に示されように空気入りタイヤ８のインナーライナー１２に連結される。組合せ１０は、好ましくは、適切な接着剤のような本技術において公知の連結手段によりインナーライナー１２に連結される。
【００２０】
組合せ１０は、監視装置１４及びこれと別に作られる取付用パッチ１６を備える。監視装置１４は少なくも１個の感知用素子１８を備え、この素子は、空気入りタイヤ８の少なくも１個の希望のパラメーターを読み取り又は少なくも１個の技術的状態を感知するように構成され適応させられる。監視装置１４は、更に監視装置１４に電力を供給する電源又は電池２４を備える。上述の諸装置に加えて、監視装置の別の例が、ここに参考文献としてその内容が取り入れられた米国特許５５７３６１０号に示される。感知素子１８は、電線のような適切なコネクター２８により第１の電気パッド２６に接続される。電気パッド２６は監視装置１４から間隔を空けられ、又は監視装置１４と一体の部材とすることができる。
【００２１】
監視装置１４と第１の電気パッド２６とは、監視装置１４を保護するように機能するカプセル材料３０によりカプセル封じされることが好ましい。カプセル材料３０は、監視装置１４と電気パッド２６とのまわりに強固な構造を提供する適切なエポキシ又はプラスチックとすることができる。カプセル材料３０は、カプセル封じ監視装置３１の取付面を提供する底面３２を有するカプセル封じ監視装置３１を形成する。底面３２の少なくも一部分は実質的に平らである。第１の電気パッド２６は底面３２の平坦部分と実質的に平行でありかつ底面に隣接するが、なおカプセル材料３０により完全に囲まれる。
【００２２】
パッチ１６は、パッチのボデー内に埋められたアンテナ３４を備える。第２の電気パッド３６がアンテナ３４に接続され、かつこれもパッチ１６内に埋められる。パッチ１６は、インナーライナー１２と両立でき又はインナーライナー１２との望ましい接着特性を提供する適切なゴム又はゴムの組合せより形成することができる。パッチ１６は上面３８を有し、この面は、カプセル封じ監視装置３１がパッチ１６と連結されたときに底面３２が上面３８に押し付けられて置かれるようにカプセル封じ監視装置３１を受け入れるような寸法及び形状にされる。第２の電気パッド３６は上面３８に隣接するがパッチ１６の材料分だけこれから間隔を空けられる。第２の電気パッド３６は、アンテナ３４と一体に形成することができ、更に本発明のある種の実施例においては、単純に、パッチ１６の材料を通して電気的に結合させることができる場所に配置されたアンテナ３４の部分とすることができる。アンテナ３４は、線、棒、板又は同等のような種々の適切なアンテナのいずれとすることもできる。
【００２３】
本発明の目的の一つにより、パッチ１６は上面３８から遠くに伸びる足部分３５を備える。アンテナ３４は、これがカプセル封じ監視装置３１から離れて置かれるように足部分３５内に埋められる。パッチ１６の足部分３５のため、カプセル封じ監視装置３１は、アンテナ３４よりもタイヤ８のビードリング３７及びアペックスフィラー３９の近くに位置決めすることができる。かかる位置決めにより、アンテナ３４からの信号はビードリング３７及びアペックスフィラー３９のまわりに伝搬することができる。
【００２４】
本発明の別の目的により、第１の電気パッド２６は、カプセル封じ監視装置３１がパッチ１６に取り付けられるとき、第２の電気パッド３６と揃えられる。第１の電気パッド２６及び第２の電気パッド３６は揃えられるが、これらは中間のパッチ１６の材料及びカプセル材料３０により互いに間隔を空けられた状態のままである。しかし、電気パッド２６及び３６は、感知用素子１８がアンテナ３４と通信状態にあるように電気的結合を作るに十分に近い。かかる電気的結合は本技術の熟練者に公知であり、パッド２６と３６との間の信号の通信を許す。かかる整列及び間隔は、アンテナ３４と監視装置１４との間に物理的な直接の電気接続の必要なしにカプセル封じ監視装置３１をパッチ１６上に設置することができるという本発明の別の目的と一致する。
【００２５】
監視装置１４及びパッチ１６は、次の方法でインナーライナー１２に連結することができる。まず、監視装置１４に感知用素子１８、第１の電気パッド２６、及びコネクター２８が設けられる。次いで、監視装置１４と第１の電気パッド２６とを完全にカプセル化するために、監視装置１４がカプセル材料３０でカプセル封じされる。次いで、パッチ１６が、パッチ１６のボデー内に埋められたアンテナ３４とともに作られる。アンテナ３４は、同様にパッチ１６のボデー内に埋められた第２の電気パッド３６に接続される。アンテナ３４と装置３１との間の物理的な接続は不要であるため、装置３１及びパッチ１６の製作段階は別の場所で行うことができる。
【００２６】
次いで、組合せ１０の設置されるインナーライナー１２を有する空気入りタイヤ８が選定される。まず、第１の電気パッド２６と第２の電気パッド３６とを揃えることにより、カプセル封じ監視装置３１をパッチ１６に連結することができる。次いで、カプセル封じ監視装置３１の底面３２をパッチ１６の上面３８上に置くことにより、カプセル封じ監視装置３１がパッチ１６に連結される。適切な接着剤のような２個の部材を連結する適切な方法が使用される。
【００２７】
次に、装置３１及びパッチ１６が、接着剤のような適切な連結手段によりインナーライナー１２に連結される。組合せ１０のインナーライナー１２への連結は、アンテナ３４と監視装置１４との間の直接の物理的接続を必要としない。電気パッド２６と３６との整列及び得られた電気的結合が、アンテナ３４と監視装置１４との間の所要の通信を提供する。
【００２８】
組合せ１０も、まずパッチ１６をインナーライナー１２に連結することにより空気入りタイヤ８に設置することができる。監視装置１４は後でパッチに連結されるので、監視装置１４を破損させる危険なしに、パッチ１６をインナーライナー１２に攻撃的に取り付けることができる。パッチ１６がインナーライナー１２に適切に連結された後、上述のように監視装置１４がパッチ１６に揃えられ、そして接着剤のような適切な連結手段により連結される。電気パッド２６と３６とが正しく揃えられたとき、アンテナ３４と監視装置１４との間の通信が自動的に作られ、即ち、アンテナと監視装置との間のいかなる物理的な電気接続もなしに両者間の信号の結合が達成される。
【００２９】
本発明の第１の代置可能な実施例が図６及び７に示される。第１の代置可能な実施例においては、カプセル封じ監視装置１０２をタイヤ１０６のインナーライナー１０４に連結するために固定用パッチ１００が使用される。本発明の目的の一つにより、アンテナ１０８は固定用パッチ１００の固定用の層１１０内に埋められる。監視装置１１２が固定用の層１１０に取り付けられたとき、アンテナ１０８と監視装置１１２との間の通信が提供される。この通信は電気的結合を経て提供される。
【００３０】
固定用パッチ１００は、キュア（cure）紙又はキュア布のようなキュア材料の層１１６により固定用の層１１０から分離される種々の加硫ゴムのいずれからでも形成されるカバー１１４を備える。固定用の層１１０は、デュアルキュアゴム或いは加熱又は化学反応のいずれかにより加硫される未加硫ゴムより作られる。固定用パッチ１００及びパッチを使用する方法の例が、１９９８年１２月４日付け、米国特願０９／２０６２７３号及び０９／２０５９３１号に示される。アンテナ１０８は、アンテナ１０８と監視装置１１２との間の電気的結合の提供を支援する電気パッド１１８に接続される。電気パッド１１８は、アンテナ１０８、アンテナ１０８の延長部分、又はアンテナ１０８に接続された別の部材の一体の部分とすることができる。電気パッド１１８は、固定用の層１１０の外面に隣接して置くことができる。
【００３１】
カプセル封じ監視装置１０２は、カプセル材料１２０により囲まれた監視装置１１２を備える。カプセル封じ監視装置１０２は、カプセル封じ監視装置１０２をタイヤ１０６に取り付けるために使用される取付用パッチ１２２に取り付けられる。別の電気パッド１２４が取付用パッチ１２２に配置され、かつ適切なコネクター１２６により監視装置１１２に直接接続される。本発明の別の実施例においては、電気パッド１２４と監視装置１１２との間の接続は、上述のような電気的結合により形成される。
【００３２】
図面に示されるように、アンテナ１０８の位置は、これをビードリング１２８及びアペックスフィラー１３０から遠くに置くことができると同時に、監視装置１１２をビードリング１２８の近くに置くことを許す。アンテナ１０８の長さと形状とは、カプセル封じ監視装置１０２又は取付用パッチ１２２の総寸法により限定されることなく、かつタイヤ１０６の外側に置かれたデータ収集装置との確実な通信を提供するように構成することができる。
【００３３】
監視装置１１２は、次の方法でタイヤ１０６に取り付けることができる。まず、固定用パッチ１００が、適切な接着剤によりインナーライナー１０４に接着され、或いは固定用パッチ１００の加硫によりインナーライナー１０４に接着される。この加硫は、化学的加硫、又は未加硫タイヤの加硫中に行われる加熱加硫とすることができる。固定用パッチ１００の加硫後、カプセル封じ監視装置１０２を支持している取付用パッチ１２２を固定用の層１１０に直接接着できるようにカバー１１４とキュア材料１１６とが取り去られる。取付用パッチ１２２は、適切な接着剤により、或いは後で加硫される取付用パッチ１２２の外面上のクッションゴム又はデュアルキュアゴムのような未加硫ゴムの層を固定用の層１１０に提供することにより固定用の層１１０に接着することができる。
【００３４】
カプセル封じ監視装置１０２は、まず、電気パッド１１８と１２４とが揃うように位置決めされる。次いで、カプセル封じ監視装置１０２と取付用パッチ１２２とが固定用の層１１０に取り付けられる。電気パッド１１８と１２４とは揃えられた状態のままであるが間隔を空けられ、これらがアンテナ１０８と電子式監視装置１１２との間の電気的結合を提供する。
【００３５】
本発明の第２の代置可能な実施例が図８に示される。この第２の実施例においては、アンテナ２００は、タイヤ２０４のインナーライナー２０２内に埋められる。アンテナ２００は、インナーライナー２０２の製造中にインナーライナー２０２内に埋められ、そしてタイヤ２０４の外側に置かれたデータ収集装置（図示せず）との通信に理想的な構成とすることができる。電気パッド２０６はアンテナ２００に接続されて、アンテナ２００と電子式監視装置２０８との間の通信を提供する。電気パッド２０６はアンテナ２００の一体の部分とすることができ、また、単純に電気パッド２０６として機能するように正確な位置に配置されたアンテナ２００の一部分とすることができる。
【００３６】
電子式監視装置２０８が、カプセル材料２１０でカプセル封じされ、カプセル封じ監視装置２１２を形成する。カプセル封じ監視装置２１２は、取付用パッチ２１４に取り付けられる。別の電気パッド２１６が取付用パッチ２１４内に埋められ、そして適切なコネクター２１８により電子式監視装置２０８に直接接続される。電気パッド２１６と電子式監視装置２０８との間の接続は、図８に示された直接接続とすることができ、或いは図１−５に関して上述されたような電気的結合により形成することができる。
【００３７】
カプセル封じ監視装置２１２は、接着剤のような適切な手段により取付用パッチ２１４に取り付けられる。取付用パッチ２１４は、接着剤のような適切な手段によりインナーライナー２０２に連結される。アンテナ２００と電子式監視装置２０８との間の通信は、電気パッド２０６と２１６とを整列させ、次いで取付用パッチ２１４をインナーライナー２０２に連結することにより提供される。電気パッド２０６と２１６とは揃えられるが間隔は空けられ、インナーライナー２０２及び取付用パッチ２１４の材料を通る電気的結合を提供する。この電気的結合が、アンテナ２００と電子式監視装置２０８との間の通信を提供する。
【００３８】
従って、この改良された監視装置とパッチとの組合せは単純化され、本発明の多くの目的のすべてを達成し、従来装置の遭遇した難点をなくし、更に諸問題を解決しかつ本技術における新たな結果を得る効果的、安全、低費用、かつ効率的な装置を提供する。
【００３９】
以上の説明において、簡潔、明確、及び理解のために幾つかの用語が使用されたが、かかる用語は説明の目的で使用されかつ広く解釈すべきであり、従って従来技術の諸要求を越えた不必要な限定をこれに含ませるべきではない。
【００４０】
更に、本発明の説明及び図解は例示のためであり、本発明の限界は図示され又は説明された詳細そのもにには限定されない。
【００４１】
本発明の特徴、新知見、及び原理が説明されたが、監視装置とパッチとの組合せを構成し使用する方法、構成の特徴、及び、得られた有利な新規かつ有用な結果、新規かつ有用な構造、装置、要素、配列、部品、組合せ、及び方法が実施態様に説明される。
【００４２】
本発明の実施態様は以下のとおりである。
【００４３】
１．インナーライナーを有する空気入りタイヤの状態を監視するために使用される監視装置とパッチとの組合せであって、
少なくも１個の感知用素子を有する監視装置、
前記監視装置を支持しているパッチであって、監視装置を空気入りタイヤのインナーライナーに連結するようにされた前記パッチ、及び
前記パッチにより支持されるアンテナを具備し、
前記監視装置と前記アンテナが、前記監視装置と前記アンテナとの間の信号の結合を提供するために間隔を空けられかつ整列されている、
を具備した前記組合せ。
【００４４】
２．前記監視装置に接続された第１の電気パッド及び前記アンテナに接続された第２の電気パッドを更に備え、監視装置とアンテナとの間の信号の結合を提供するように前記電気パッドが間隔を空けられかつ整列されている実施態様１の組合せ。
【００４５】
３．前記監視装置が、カプセル封じ監視装置を形成するようにカプセル材料でカプセル封じされる実施態様２の組合せ。
【００４６】
４．前記第１の電気パッドも、前記カプセル材料でカプセル封じされる実施態様３の組合せ。
【００４７】
５．前記カプセル封じ監視装置が底面を有し、前記第１の電気パッドが前記底面に隣接して配置される実施態様４の組合せ。
【００４８】
６．前記第１の電気パッドが前記底面と実質的に平行である実施態様５の組合せ。
【００４９】
７．前記第１の電気パッドが、前記カプセル材料の部分により前記監視装置から間隔を空けられた実施態様４の組合せ。
【００５０】
８．前記アンテナが前記パッチ内に埋められる実施態様２の組合せ。
【００５１】
９．前記第２の電気パッドが前記パッチ内に埋められる実施態様８の組合せ。
【００５２】
１０．前記パッチが上面を有し、前記第２の電気パッドが前記上面に隣接して配置される実施態様９の組合せ。
【００５３】
１１．前記第２の電気パッドが前記上面と実質的に平行である実施態様１０の組合せ。
【００５４】
１２．前記監視装置が前記パッチの前記上面の上に座った底面を有し、前記第１の電気パッドが前記底面に隣接して配置される実施態様１０の組合せ。
【００５５】
１３．前記監視装置が能動型の無線周波数装置でありかつ電池を備える実施態様１２の組合せ。
【００５６】
１４．前記パッチが足部分を備え、前記アンテナが前記足部分内で前記パッチにより支持される実施態様１の組合せ。
【００５７】
１５．前記パッチが上面を備え、前記監視装置が前記上面において前記パッチに連結され、前記足部分は前記上面から離れるように伸びている実施態様１４の組合せ。
【００５８】
１６．タイヤのインナーライナーに監視装置を取り付ける方法であって、
少なくも１個の感知用素子を有する監視装置を設け、
アンテナを有するパッチを設け、
監視装置をパッチに連結し、これにより監視装置とアンテナとの間の信号の結合を提供するように監視装置がアンテナに揃えられかつアンテナから間隔を空けられる
諸段階を含んだ方法。
【００５９】
１７．監視装置に接続された第１の電気パッド及びアンテナに接続された第２の電気パッドを設け、更に監視装置とアンテナとの間の信号の結合を提供するように電気パッドを間隔を空けて離れた配置で整列させる諸段階を更に含んだ実施態様１６の方法。
【００６０】
１８．監視装置を設ける段階が、監視装置と第１の電気パッドとをカプセル材料でカプセル封じする段階を含む実施態様１７の方法。
【００６１】
１９．パッチを設ける段階が、パッチ内にアンテナと第２の電気パッドとを埋める段階を含む実施態様１８の方法。
【００６２】
２０．監視装置をパッチに連結する段階の前に、パッチをタイヤのインナーライナーに連結する段階が実行される実施態様１７の方法。
【００６３】
２１．タイヤのインナーライナーにパッチを綴じ付ける段階を更に含む実施態様２０の方法。
【００６４】
２２．タイヤのインナーライナーに監視装置を取り付ける方法であって、
少なくも１個の感知用素子を有する監視装置を設け、
アンテナを有するパッチを設け、
タイヤのインナーライナーにパッチを加硫接合させ、更に
監視装置をパッチに連結し、これにより監視装置とアンテナとの間の信号の結合を提供するように監視装置とアンテナとが揃えられかつ間隔を空けられる
諸段階を含んだ方法。
【００６５】
２３．監視装置に接続された第１の電気パッド及びアンテナに接続された第２の電気パッドを設け、更に監視装置とアンテナとの間の信号の結合を提供するように電気パッドを間隔を空けて離れた配置で整列させる諸段階を更に含んだ実施態様２２の方法。
【００６６】
２４．パッチを設ける段階が、固定用の層、カバー、及び固定用の層とカバーとの間に配置されたキュア材料の層を有するパッチを設けることを含む実施態様２３の方法。
【００６７】
２５．パッチの加硫が生ずる段階の後、カバーとキュア材料とを除去する段階を更に含む実施態様２４の方法。
【００６８】
２６．取付用パッチを設け、取付用パッチに監視装置を取り付け、更に加硫の生じた段階の後でパッチに監視装置を取り付ける諸段階を更に含む実施態様２３の方法。
【００６９】
２７．取付用パッチ内に第１の電気パッドを置くことを更に含む実施態様２６の方法。
【００７０】
２８．タイヤのインナーライナーに監視装置を取り付ける方法であって、
少なくも１個の感知用素子を有する監視装置を設け、
インナーライナーにより支持されるようにされたアンテナを設け、
監視装置とアンテナとを整列させ、更に
監視装置をインナーライナーに取り付け、これによりアンテナと監視装置との間の信号の結合を提供するように監視装置がアンテナに揃えられかつアンテナから間隔を空けられる
諸段階を含んだ方法。
【００７１】
２９．監視装置に接続された第１の電気パッドを設け更に監視装置とアンテナとの間の信号の結合を提供するように第１の電気パッドをアンテナと整列させる諸段階を更に含む実施態様２８の方法。
【００７２】
３０．インナーライナー内にアンテナを埋めることを更に含む実施態様２９の方法。
【００７３】
３１．取付用パッチを設け、取付用パッチに監視装置を取り付け、更に取付用パッチ内に第１の電気パッドを置く諸段階を更に含む実施態様２９の方法。
【００７４】
３２．タイヤと監視装置との組合せにおいて、
前記タイヤはインナーライナー及び前記インナーライナーに連結されたアンテナを有し、
前記監視装置はタイヤの技術的状態を感知するために少なくも１個の感知用素子を有し、
前記監視装置は前記インナーライナーに取り付けられ、これにより監視装置とアンテナとの間の信号の結合を提供するように監視装置がアンテナに揃えられかつアンテナから間隔を空けられる
組合せ。
【００７５】
３３．前記アンテナが前記インナーライナー内に埋められる実施態様３２の組合せ。
【００７６】
３４．取付用パッチを更に備え、前記監視装置が前記取付用パッチに取り付けられる実施態様３２の組合せ。
【００７７】
３５．前記取付用パッチ内に配置された電気パッドを更に備え、前記電気パッドが前記アンテナと整列されかつ前記アンテナから間隔を空けられる実施態様３４の組合せ。
【００７８】
３６．インナーライナーを有する空気入りタイヤの状態を監視するために使用される監視装置とパッチとの組合せであって、
少なくも１個の感知用素子を有する監視装置、
前記監視装置を支持している取付用パッチ、
タイヤのインナーライナーに接着するようにされた固定用の層、及び
前記固定用の層により支持されるアンテナを具備し、
前記取付用パッチが、該固定用の層に取りつけられ、監視装置とアンテナが、監視装置とアンテナとの間の信号の結合を提供するように、揃えられかつ間隔を空けられる
組合せ。
【００７９】
３７．前記監視装置に接続された第１の電気パッド及び前記アンテナに接続された第２の電気パッドを更に備え、監視装置とアンテナとの間の信号の結合を提供するように前記両パッドが整列されかつ間隔を空けられる実施態様３６の組合せ。
【００８０】
３８．前記第１の電気パッドが前記取付用パッチにより支持され、更に前記第２の電気パッドが前記固定用の層により支持される実施態様３７の組合せ。
【図面の簡単な説明】
【図１】空気入りタイヤのインナーライナーに連結された監視装置とパッチとの組合せを有する空気入りタイヤの部分断面図である。
【図２】本発明の監視装置とパッチとの組合せの断面側面図である。
【図３】第１の電気パッドと第２の電気パッドとの整列を示している監視装置とパッチとの組合せの断面端面図である。
【図４】図３の線４−４に沿って得られた断面図である。
【図５】図３の線５−５に沿って得られた分解断面図であり、カプセル封じ監視装置の一部分を断面で示し、更にパッチの一部分を断面で示している。
【図６】本発明の別の実施例を示す図１と同様な断面図である。
【図７】本発明の第１の別の実施例によるタイヤのインナーライナーへの監視装置の取付けを示している図６と同様な断面図である。
【図８】本発明の第２の別の実施例を示している図６及び７と同様な断面図である。
【符号の説明】
１０  組合せ
１２  インナーライナー
１４  監視装置
１６  取付用パッチ
１８  感知素子
２６  電気パッド
３４  アンテナ
３６  第２の電気パッド
【図１】
0004409716.tif 000002
【図２】
0004409716.tif 000003
【図３】
0004409716.tif 000004
【図４】
0004409716.tif 000005
【図５】
0004409716.tif 000006
【図６】
0004409716.tif 000007
【図７】
0004409716.tif 000008
【図８】
0004409716.tif 000009